【手続補正書】
【提出日】平成24年4月18日(2012.4.18)
【手続補正１】
【補正対象書類名】特許請求の範囲
【補正対象項目名】全文
【補正方法】変更
【補正の内容】
【特許請求の範囲】
【請求項１】
前脚および後脚を有するフレーム部と、
第１位置と第２位置との間を揺動可能にフレーム部に連結されたハンドルと、
前記前脚および前記後脚のうちの少なくとも一方に設けられたキャスター機構であって、車輪と、前記車輪を回転可能かつ旋回可能に保持する車輪ホルダと、前記車輪の旋回を規制するロック位置と前記車輪の旋回を可能にするロック解除位置との間を移動可能なロック部材と、を有するキャスター機構と、
前記ハンドルが前記第１位置にある場合に第１保持位置に保持されるとともに前記ハンドルが前記第２位置にある場合に第２保持位置に保持されるように構成された切り換え部材を有するスイッチ機構と、
前記スイッチ機構と前記キャスター機構との間に設けられ、前記切り換え部材の前記第１保持位置と前記第２保持位置との間での移動を前記ロック部材に伝達して、前記ロック部材を前記ロック解除位置から前記ロック位置へ或いは前記ロック位置から前記ロック解除位置へ移動させる伝達機構と、を備え、
前記切り換え部材は、前記フレーム部に回動可能に支持され、
前記切り換え部材は、前記ハンドルの揺動時における軌道範囲内に、あるいは、前記ハンドルに取り付けられた部材の前記ハンドルの揺動時における軌道範囲内に突出可能な突出部を有し、
前記第１位置から前記第２位置へ又は前記第２位置から前記第１位置へ移動中の前記ハンドルあるいは当該ハンドルに取り付けられた部材が前記突出部を押圧することによって、前記切り換え部材が前記第１保持位置と前記第２保持位置との間を回動するように、前記切り換え部材は構成されている
ことを特徴とするベビーカー。
【請求項２】
前記前脚の下端に前脚用キャスター機構が設けられるとともに、前記後脚の下端に後脚用キャスター機構が設けられ、
前記前脚用キャスター機構および前記後脚用キャスター機構のうちの一方と前記スイッチ機構との間に第１の前記伝達機構が設けられ、前記前脚用のキャスター機構および前記後脚用のキャスター機構のうちの他方と前記スイッチ機構との間に第２の前記伝達機構が設けられている
ことを特徴とする請求項１に記載のベビーカー。
【請求項３】
第１の前記伝達機構は、前記切り換え部材および前記前脚用キャスター機構の前記ロック部材に両端をそれぞれ取り付けられたリードワイヤと、前記リードワイヤが内部を通過するチューブ状部材と、を有しており、
第２の前記伝達機構は、前記切り換え部材および前記後脚用キャスター機構の前記ロック部材に両端をそれぞれ取り付けられたリードワイヤと、前記リードワイヤが内部を通過するチューブ状部材と、を有しており、
第１保持位置から第２保持位置へ向けて移動する場合、第１の前記伝達機構のリードワイヤは、前記切り換え部材の移動にともなって、第１の前記伝達機構のチューブ状部材のスイッチ機構側の端部からチューブ状部材外へ引き出されるとともに、第１の前記伝達機構のチューブ状部材の前脚用キャスター機構側の端部からチューブ状部材内へ引き込まれ、第２の前記伝達機構のリードワイヤは、前記切り換え部材の移動にともなって、第２の前記伝達機構のチューブ状部材のスイッチ機構側の端部からチューブ状部材内に押し込まれるとともに、第２の前記伝達機構のチューブ状部材の後脚用キャスター機構側の端部からチューブ状部材外へ押し出され、
第２保持位置から第１保持位置へ向けて移動する場合、第１の前記伝達機構のリードワイヤは、切り換え部材の移動にともなって、第１の前記伝達機構のチューブ状部材のスイッチ機構側の端部からチューブ状部材内に押し込まれるとともに、第１の前記伝達機構のチューブ状部材の前脚用キャスター機構側の端部からチューブ状部材外へ押し出され、第２の前記伝達機構のリードワイヤは、切り換え部材の移動にともなって、第２の前記伝達機構のチューブ状部材のスイッチ機構側の端部からチューブ状部材外へ引き出されるとともに、第２の前記伝達機構のチューブ状部材の後脚用キャスター機構側の端部からチューブ状部材内へ引き込まれる
ことを特徴とする請求項２に記載のベビーカー。
【請求項４】
前記伝達機構は、前記切り換え部材および前記キャスター機構のロック部材に両端をそれぞれ取り付けられたリードワイヤと、前記リードワイヤが内部を通過するチューブ状部材と、を有しており、
第１保持位置から第２保持位置へ向けて移動する場合、前記伝達機構のリードワイヤは、前記切り換え部材の移動にともなって、前記伝達機構のチューブ状部材のスイッチ機構側の端部からチューブ状部材外へ引き出されるとともに、前記伝達機構のチューブ状部材のキャスター機構側の端部からチューブ状部材内へ引き込まれ、
第２保持位置から第１保持位置へ向けて移動する場合、前記伝達機構のリードワイヤは、前記切り換え部材の移動にともなって、前記伝達機構のチューブ状部材のスイッチ機構側の端部からチューブ状部材内に押し込まれるとともに、前記伝達機構のチューブ状部材のキャスター機構側の端部からチューブ状部材外へ押し出される
ことを特徴とする請求項１に記載のベビーカー。
【請求項５】
前記キャスター機構が少なくとも前記前脚の下端に設けられている
ことを特徴とする請求項１に記載のベビーカー。
【請求項６】
前記伝達機構は、前記切り換え部材および前記前脚の下端に設けられた前記キャスター機構のロック部材に両端をそれぞれ取り付けられたリードワイヤと、前記リードワイヤが内部を通過するチューブ状部材と、を有しており、
第１保持位置から第２保持位置へ向けて移動する場合、前記伝達機構のリードワイヤは、前記切り換え部材の移動にともなって、前記伝達機構のチューブ状部材のスイッチ機構側の端部からチューブ状部材外へ引き出されるとともに、前記伝達機構のチューブ状部材のキャスター機構側の端部からチューブ状部材内へ引き込まれ、
第２保持位置から第１保持位置へ向けて移動する場合、前記伝達機構のリードワイヤは、前記切り換え部材の移動にともなって、前記伝達機構のチューブ状部材のスイッチ機構側の端部からチューブ状部材内に押し込まれるとともに、前記伝達機構のチューブ状部材のキャスター機構側の端部からチューブ状部材外へ押し出される
ことを特徴とする請求項５に記載のベビーカー。
【請求項７】
前記フレーム部は、前記前脚および前記後脚に連結されたアームレストをさらに有し、
前記切り換え部材は、前記アームレストに回動可能に支持されている
ことを特徴とする請求項１〜６のいずれか一項に記載のベビーカー。
【請求項８】
前記切り換え部材は、前記アームレスト内に支持され、
前記突出部は、前記アームレストから突出可能となっている
ことを特徴とする請求項７にベビーカー。
【請求項９】
前記切り換え部材の一部分は、前記アームレスト内に配置され、
前記突出部は、前記アームレストから突出可能となっている
ことを特徴とする請求項７にベビーカー。
【請求項１０】
前記切り換え部材の回動軸線は、ハンドルまたはハンドルに取り付けられた部材の突出部に接触可能な部分の、ハンドルの揺動にともなった移動軌跡を含む仮想平面と、平行に延びている
ことを特徴とする請求項１〜９のいずれか一項に記載のベビーカー。
【請求項１１】
前記切り換え部材の回動軸線は、ハンドルまたはハンドルに取り付けられた部材の突出部に接触可能な部分の、ハンドルの揺動にともなった移動軌跡と、直交している
ことを特徴とする請求項１〜１０のいずれか一項に記載のベビーカー。
【請求項１２】
前記切り換え部材の前記突出部は、前記第２保持位置に位置している場合に、前記ハンドルの前記軌道範囲内または前記ハンドルに取り付けられた部材の前記軌道範囲内へ入り、前記第２位置から前記第１位置に向けて揺動する前記ハンドルまたは前記ハンドルに取り付けられた部材に押圧されるように構成されている
ことを特徴とする請求項１〜１１のいずれか一項に記載のベビーカー。
【請求項１３】
前記切り換え部材の前記突出部は、前記第２位置から前記第１位置まで移動するハンドルまたは前記ハンドルに取り付けられた部材によって、前記ハンドルの前記軌道範囲外または前記ハンドルに取り付けられた部材の前記軌道範囲外まで押圧される
ことを特徴とする請求項１２に記載のベビーカー。
【請求項１４】
前記切り換え部材が前記第１保持位置に位置している場合、前記切り換え部材の前記突出部は、前記ハンドルの前記軌道範囲外または前記ハンドルに取り付けられた部材の前記軌道範囲外に位置している
ことを特徴とする請求項１２に記載のベビーカー。
【請求項１５】
前記伝達機構は、前記切り換え部材および前記ロック部材に両端をそれぞれ取り付けられたリードワイヤと、リードワイヤが内部を通過するチューブ状部材と、を有し、
前記リードワイヤのスイッチ機構側の端部は、前記突出部の近傍において前記切り換え部材に固定されている
ことを特徴とする請求項１〜１４のいずれか一項に記載のベビーカー。
【請求項１６】
前記切り換え部材は、
前記第２保持位置に位置している場合に、前記ハンドルの前記軌道範囲内または前記ハンドルに取り付けられた部材の前記軌道範囲内へ突出し、前記第２位置から前記第１位置に向けて揺動する前記ハンドルまたは前記ハンドルに取り付けられた部材に押圧されるように構成された第１突出部と、
前記第１保持位置に位置している場合に、前記ハンドルの前記軌道範囲内または前記ハンドルに取り付けられた部材の前記軌道範囲内へ突出し、前記第１位置から前記第２位置に向けて揺動する前記ハンドルまたは前記ハンドルに取り付けられた部材に押圧されるように構成された第２突出部と、を有する
ことを特徴とする請求項１〜１５のいずれか一項に記載のベビーカー。
【請求項１７】
前記切り換え部材が前記第１保持位置と前記第２保持位置との間に位置する場合に、前記切り換え部材が前記第１保持位置または前記第２保持位置に向けて付勢されるように、前記スイッチ機構は構成されている
ことを特徴とする請求項１〜１６のいずれか一項に記載のベビーカー。
【請求項１８】
前脚および後脚を有するフレーム部と、
第１位置と第２位置との間を揺動可能にフレーム部に連結されたハンドルと、
前記前脚および前記後脚のうちの少なくとも一方に設けられたキャスター機構であって、車輪と、前記車輪を回転可能かつ旋回可能に保持する車輪ホルダと、前記車輪の旋回を規制するロック位置と前記車輪の旋回を可能にするロック解除位置との間を移動可能なロック部材と、を有するキャスター機構と、
前記ハンドルが前記第１位置にある場合に第１保持位置に保持されるとともに前記ハンドルが前記第２位置にある場合に第２保持位置に保持されるように構成された切り換え部材を有するスイッチ機構と、
前記スイッチ機構と前記キャスター機構との間に設けられ、前記切り換え部材の前記第１保持位置と前記第２保持位置との間での移動を前記ロック部材に伝達して、前記ロック部材を前記ロック解除位置から前記ロック位置へ或いは前記ロック位置から前記ロック解除位置へ移動させる伝達機構と、を備え、
前記切り換え部材は、前記ハンドルに摺動可能に設けられており、
前記切り換え部材は、前記ハンドルが前記第１位置にある場合に前記ハンドル上の前記第１保持位置に配置され、前記ハンドルが前記第２位置にある場合に前記第１保持位置とは異なる前記ハンドル上の前記第２保持位置に配置される
ことを特徴とするベビーカー。
【請求項１９】
前記フレームは、前記ハンドルが前記第１位置にある場合に前記切り換え部材と係合して前記切り換え部材を前記第１保持位置に保持するようになる第１係合部材と、前記ハンドルが前記第２位置にある場合に前記切り換え部材と係合して前記切り換え部材を前記第２保持位置に保持するようになる第２係合部材と、をさらに有する
ことを特徴とする請求項１８に記載のベビーカー。
【請求項２０】
前記フレーム部は、前記前脚および前記後脚に連結されたアームレストをさらに有し、
前記第１係合部材および前記第２係合部材は、前記アームレストに設けられている
ことを特徴とする請求項１９に記載のベビーカー。
【請求項２１】
前記切り換え部材が前記第１係合部材と係合することにより、前記ハンドルの前記第１位置からの揺動が規制されるとともに、前記切り換え部材が前記第２係合部材と係合することにより、前記ハンドルの前記第２位置からの揺動が規制されるように、前記切り換え部材ならびに前記フレーム部が構成されている
ことを特徴とする請求項１９または２０に記載のベビーカー。
【請求項２２】
前記切り換え部材は、前記ハンドルの長手方向に前記ハンドル上を移動可能であり、
前記切り換え部材から前記ハンドルの揺動中心までの前記ハンドルの長手方向に沿った長さは、前記切り換え部材が前記第１保持位置に位置している場合と前記切り換え部材が前記第２保持位置に位置している場合とで異なる
ことを特徴とする請求項１８〜２１のいずれか一項に記載のベビーカー。
【請求項２３】
前記ハンドルは、前記第１位置において前方に傾斜し、前記第２位置において後方に傾斜するようになっている
ことを特徴とする請求項１〜２２のいずれか一項に記載のベビーカー。